(57)【特許請求の範囲】
【請求項１】
複数の遊技機と、
遊技球の揚送方向に移動する揚送ベルトと、前記揚送ベルトに対向する揚送位置を通るように配置された研磨ベルトとの間に遊技球を挟み、前記研磨ベルトで研磨しつつ前記揚送方向に遊技球を揚送する揚送手段と、
前記揚送位置にある使用済の前記研磨ベルトを前記揚送位置外に送り出すとともに、前記揚送位置外にある未使用の前記研磨ベルトを前記揚送位置に送り入れて、前記研磨ベルトの移動を実行するベルト移動手段と、
前記揚送手段によって揚送された遊技球を貯留すると共に、該貯留された遊技球を前記各遊技機に供給可能に形成された貯留手段と、
を備える遊技島に適用され、前記各遊技機から回収された遊技球を前記揚送手段で前記貯留手段に揚送して循環させる遊技島システムにおいて、
前記揚送手段を停止してから前記各遊技機への遊技球の供給不足が生じるまでの緩衝期間を算出する緩衝期間算出手段と、
前記揚送手段を停止後、前記緩衝期間が経過するまでの間に、前記ベルト移動手段を制御して前記研磨ベルトの移動を実行する研磨ベルト移動制御手段と、
予め定められた前記緩衝期間を確保可能な充足量分の遊技球が前記貯留手段に貯留されているか検出する遊技球貯留量検出手段と、
を備え、
前記研磨ベルト移動制御手段は、
前記遊技球貯留量検出手段により前記貯留手段に前記充足量分の遊技球が貯留されていることが検出されたら、前記ベルト移動手段を制御して前記研磨ベルトの移動を実行することを特徴とする遊技島システム。
【請求項２】
複数の遊技機と、
遊技球の揚送方向に移動する揚送ベルトと、前記揚送ベルトに対向する揚送位置を通るように配置された研磨ベルトとの間に遊技球を挟み、前記研磨ベルトで研磨しつつ前記揚送方向に遊技球を揚送する揚送手段と、
前記揚送位置にある使用済の前記研磨ベルトを前記揚送位置外に送り出すとともに、前記揚送位置外にある未使用の前記研磨ベルトを前記揚送位置に送り入れて、前記研磨ベルトの移動を実行するベルト移動手段と、
前記揚送手段によって揚送された遊技球を貯留すると共に、該貯留された遊技球を前記各遊技機に供給可能に形成された貯留手段と、
を備える遊技島に適用され、前記各遊技機から回収された遊技球を前記揚送手段で前記貯留手段に揚送して循環させる遊技島システムにおいて、
前記揚送手段を停止してから前記各遊技機への遊技球の供給不足が生じるまでの緩衝期間を予め定め、前記緩衝期間によって定められる、前記揚送手段を停止可能な量の遊技球が貯留されたことを検出したら、前記揚送手段を停止後、前記緩衝期間が経過するまでの間に、前記ベルト移動手段を制御して前記研磨ベルトの移動を実行する研磨ベルト移動制御手段と、
前記緩衝期間内に前記研磨ベルト移動制御手段で移動可能な前記研磨ベルトの移動量を算出する研磨ベルト移動量算出手段と、
前記研磨ベルト移動量算出手段で算出された前記移動量毎に前記研磨ベルトを移動した場合に、予め定められた予定移動量分の前記研磨ベルトを移動するために必要な、前記研磨ベルト移動制御手段を実行する移動動作回数を算出する研磨ベルト移動動作回数算出手段と、
前記移動動作回数分、前記研磨ベルト移動制御手段を実行する研磨ベルト移動実行手段と、
を備えることを特徴とする遊技島システム。
【請求項３】
請求項２に記載の遊技島システムにおいて、
前記予定移動量分の前記研磨ベルトを移動できたか否かを、前記移動動作回数だけ前記研磨ベルト移動制御手段を実行したか否かによって管理する研磨ベルト移動動作回数管理手段
を備えることを特徴とする遊技島システム。
【請求項４】
請求項２，３のいずれかに記載された遊技島システムにおいて、
予め定められた予定移動期間内で、時間的に略等間隔で前記移動動作回数分の前記研磨ベルト移動制御を実行させるための移動タイミングを決定する研磨ベルト移動タイミング決定手段を備え、
前記研磨ベルト移動制御手段は、
前記移動タイミング、あるいは、前記各移動タイミングの近傍で前記研磨ベルト移動制御手段を実行することを特徴とする遊技島システム。
【発明の詳細な説明】
【技術分野】
【０００１】
本発明は、遊技島に設置される揚送装置の研磨ベルトを巻き取る遊技島システムに関する。
【背景技術】
【０００２】
従来より、遊技島には、遊技機から回収した遊技球を一時的に貯留する下部タンクと、遊技機に供給する遊技球を一時的に貯留する上部タンクが設置されている。
また、この遊技島には、下部タンクに貯留された遊技球を研磨しながら上部タンクに揚送する揚送装置が設置されている。
【０００３】
この揚送装置は、遊技球を揚送する揚送ベルトと、遊技球を研磨する布ベルト（研磨ベルト）とを備え、遊技球の揚送は、これらのベルトの間に遊技球を挟んだ状態で揚送ベルトを稼動させ、揚送ベルトの稼動方向に遊技球を転動させることによって行われる。
【０００４】
また、揚送装置は、布ベルトを巻き取る巻取装置を備えている。
遊技球を揚送する際、布ベルトは、遊技球を研磨して汚れるので、この巻取装置によって、使用済みの布ベルトを揚送ベルトに対向する揚送位置から送り出すとともに、未使用の布ベルトを揚送位置に送り入れて、使用済みの布ベルトを巻き取ることを可能としているのである。
【０００５】
そして、従来の揚送装置では、布ベルトを巻き取るには、揚送ベルトを停止して遊技球の揚送を停止し、巻取装置を用いて布ベルトを巻き取り、この巻き取りが終了したら再び揚送ベルトを動作させて揚送を再開していた（特許文献１）。
【０００６】
この布ベルトの巻き取りは営業中に行われ、このようにすることによって遊技者に常にきれいな遊技球を提供していた。
【先行技術文献】
【特許文献】
【０００７】
【特許文献１】特開２００７−２９５５４（特願２００５−２１９４２４）
【発明の概要】
【発明が解決しようとする課題】
【０００８】
しかし、従来の揚送装置では、布ベルトの巻取りが開始されると、遊技機で遊技球の不足が生じているか否かに関係なく、予め定められた長さ分の布ベルトの巻き取りが完了するまで布ベルトの巻き取りが行われるので、その間は揚送ベルトを再度動かすことができなかった。
【０００９】
そのため、営業中に布ベルトの巻き取りを開始してしまうと、遊技機で遊技球の不足が発生した場合であっても遊技球を上部タンクに揚送できないので、遊技機で遊技が出来なくなる可能性があった。
【００１０】
そこで本発明では、上述した問題点を解決し、遊技球が不足して遊技機での遊技が出来なくなることを防止しつつ、研磨ベルトの巻き取りが可能な遊技島システムを提供することを目的とする。
【課題を解決するための手段】
【００１１】
上述した問題を解決するためになされた発明である請求項１に記載の遊技島システムは、複数の遊技機と、遊技球の揚送方向に移動する揚送ベルトと、前記揚送ベルトに対向する揚送位置を通るように配置された研磨ベルトとの間に遊技球を挟み、前記研磨ベルトで研磨しつつ前記揚送方向に遊技球を揚送する揚送手段と、前記揚送位置にある使用済の前記研磨ベルトを前記揚送位置外に送り出すとともに、前記揚送位置外にある未使用の前記研磨ベルトを前記揚送位置に送り入れて、前記研磨ベルトの移動を実行するベルト移動手段と、前記揚送手段によって揚送された遊技球を貯留すると共に、該貯留された遊技球を前記各遊技機に供給可能に形成された貯留手段と、を備える遊技島に適用され、前記各遊技機から回収された遊技球を前記揚送手段で前記貯留手段に揚送して循環させる遊技島システムにおいて、前記揚送手段を停止してから前記各遊技機への遊技球の供給不足が生じるまでの緩衝期間を算出する緩衝期間算出手段と、前記揚送手段を停止後、前記緩衝期間が経過するまでの間に、前記ベルト移動手段を制御して前記研磨ベルトの移動を実行する研磨ベルト移動制御手段と、予め定められた前記緩衝期間を確保可能な充足量分の遊技球が前記貯留手段に貯留されているか検出する遊技球貯留量検出手段と、を備え、前記研磨ベルト移動制御手段は、前記遊技球貯留量検出手段により前記貯留手段に前記充足量分の遊技球が貯留されていることが検出されたら、前記ベルト移動手段を制御して前記研磨ベルトの移動を実行することを特徴とする。
【００１２】
この発明では、揚送手段を停止してから、各遊技島において遊技球の供給不足が生じるまでの緩衝期間を算出し、この緩衝期間の間だけ研磨ベルトを移動する制御を実行している。
【００１３】
従って、本発明のように、この緩衝期間内に研磨ベルトの移動を行えば、遊技機での遊技球不足が生じる前に研磨ベルトが停止するので、遊技球が不足して遊技機での遊技が出来なくなることを防止しつつ、研磨ベルトを移動することができる。
【００１４】
尚、緩衝期間としては、例えば、貯留手段に予め定められた数の遊技球が貯留されてから、このうちの予め定められた割合の数の遊技球、例えば、１００００個の遊技球が貯留され、この１００００個のうち９割の９０００個の遊技球、が、貯留手段から流出するまでの期間としてもよい。ただし、ここでいう割合は、１０割でもよい。
【００１６】
また、このようにすると、予め定められた緩衝期間を確保可能な充足量分の遊技球が貯留されていることが検出手段によって検出されたときに、研磨ベルトを移動する制御が行われるので、より確実に、遊技球が不足して遊技機での遊技が出来なくなることを防止しつつ、研磨ベルトを移動することができる。
【００１７】
尚、充足量については、緩衝期間を確保可能な量として予め定め、遊技球貯留量検出手段としては、この予め定められた量が貯留手段に貯留されているか検出するようにしてもよい。
【００１８】
次に、請求項２に記載した遊技島システムは、複数の遊技機と、遊技球の揚送方向に移動する揚送ベルトと、前記揚送ベルトに対向する揚送位置を通るように配置された研磨ベルトとの間に遊技球を挟み、前記研磨ベルトで研磨しつつ前記揚送方向に遊技球を揚送する揚送手段と、前記揚送位置にある使用済の前記研磨ベルトを前記揚送位置外に送り出すとともに、前記揚送位置外にある未使用の前記研磨ベルトを前記揚送位置に送り入れて、前記研磨ベルトの移動を実行するベルト移動手段と、前記揚送手段によって揚送された遊技球を貯留すると共に、該貯留された遊技球を前記各遊技機に供給可能に形成された貯留手段と、を備える遊技島に適用され、前記各遊技機から回収された遊技球を前記揚送手段で前記貯留手段に揚送して循環させる遊技島システムにおいて、前記揚送手段を停止してから前記各遊技機への遊技球の供給不足が生じるまでの緩衝期間を予め定め、前記緩衝期間によって定められる、前記揚送手段を停止可能な量の遊技球が貯留されたことを検出したら、前記揚送手段を停止後、前記緩衝期間が経過するまでの間に、前記ベルト移動手段を制御して前記研磨ベルトの移動を実行する研磨ベルト移動制御手段と、前記緩衝期間内に前記研磨ベルト移動制御手段で移動可能な前記研磨ベルトの移動量を算出する研磨ベルト移動量算出手段と、前記研磨ベルト移動量算出手段で算出された前記移動量毎に前記研磨ベルトを移動した場合に、予め定められた予定移動量分の前記研磨ベルトを移動するために必要な、前記研磨ベルト移動制御手段を実行する移動動作回数を算出する研磨ベルト移動動作回数算出手段と、前記移動動作回数分、前記研磨ベルト移動制御手段を実行する研磨ベルト移動実行手段と、を備えることを特徴とする。
【００１９】
このようにすると、緩衝期間内に移動させることができる量は少なくても、緩衝期間内に研磨ベルトを移動する制御を複数回行えば、予定移動量分の研磨ベルトを確実に移動することができる。
【００２０】
次に、請求項４に記載したように、請求項３に記載の遊技島システムにおいて、前記予定移動量分の前記研磨ベルトを移動できたか否かを、前記移動動作回数だけ前記研磨ベルト移動制御手段を実行したか否かによって管理する研磨ベルト移動動作回数管理手段を備えることを特徴とする。
【００２１】
このようにすると、予定移動量分の研磨ベルトを移動できたか否かを、研磨ベルトの移動量を厳密に管理しなくても、移動動作回数を管理するだけで知ることができるので、予定移動量の研磨ベルトを巻き取ることができたか否かを容易に管理することができる。
【００２２】
次に、請求項５に記載した研磨ベルト巻取制御装置のように、請求項３，４のいずれかに記載された遊技島システムにおいて、予め定められた予定移動期間内で、時間的に略等間隔で前記移動動作回数分の前記研磨ベルト移動制御を実行させるための移動タイミングを決定する研磨ベルト移動タイミング決定手段を備え、前記研磨ベルト移動制御手段は、前記移動タイミング、あるいは、前記各移動タイミングの近傍で前記研磨ベルト移動制御手段を実行することを特徴とする。
【００２３】
このようにすると、一定の時間間隔毎に研磨ベルトが少しずつ移動するので、不定期に研磨ベルトを移動する場合に比べて、研磨ベルトへの汚れの付着量が営業時間を通してほぼ一定値に保たれ、結果として、時間当たりの遊技球の汚れも平均化することができる。
【００２４】
尚、移動タイミングだけでなく移動タイミングの近傍で研磨ベルト移動制御手段を実行するとしたのは、移動タイミングのときに、緩衝期間を確保可能な遊技球が貯留されていないことがあるので、移動タイミングが経過した後、この移動タイミングの近傍で緩衝期間を確保可能なときに研磨ベルト移動制御手段を実行してもよいという理由からである。
【図面の簡単な説明】
【００２５】
【図１】遊技島台を正面から見た遊技島台の構造図で、特に、パチンコ玉を循環させる構造を示している。
【図２】揚送装置３の側面図で、図１中の点線で囲った部分を拡大して示している。
【図３】遊技島台の内部構造を示すブロック図である。
【図４】布ベルト関連処理のフローチャートである。
【図５】設定処理のフローチャートである。
【図６】算出処理のフローチャートである。
【図７】布ベルト自動巻取処理のフローチャートである。
【図８】動作制御処理（Ｓ７）のフローチャートである。
【発明を実施するための形態】
【００２６】
以下、本発明が適用された実施形態について図面を用いて説明する。
１．遊技島台１の構造
遊技島台１の構造について説明する。
【００２７】
図１に示すように、遊技島台１には、その長手方向に沿った側面であって遊技者に対向する側面に、パチンコ機を設置するための複数の設置スペース１ａが形成されている。これら設置スペース１ａは、遊技島台１の長手方向に沿って一列に形成されている。パチンコ機は、これら各設置スペース１ａに嵌め込まれて固定される。
【００２８】
この遊技島台１の長手方向中央には、後述する揚送装置３が設置されている。そして、この揚送装置３の近傍には、各パチンコ機から回収したパチンコ玉を貯留する下部タンク１０と、各パチンコ機に送るパチンコ玉を貯留する上部タンク１１（本発明の「貯留手段」に相当）とが設置されている。下部タンク１０は、遊技島台１に対してパチンコ機が取り付けられる位置よりも下方の遊技島台１内に設置され、上部タンク１１は、遊技島台１の屋根上に設置されている。
【００２９】
各設置スペース１ａの下端には、各パチンコ機で使用されたアウト玉（パチンコ遊技に使用されたパチンコ玉）を回収する回収装置１２が設置されている。
各設置スペース１ａの下部の遊技島台１内には、各回収装置１２で回収されたパチンコ玉を下部タンク１０に導く回収樋１３が設置されている。この回収樋１３は、遊技島台１の長手方向の一端から、下部タンク１０まで下り坂を形成するように設置されている。
【００３０】
各設置スペース１ａの上部の遊技島台１内には、上部タンク１１から各遊技機にパチンコ玉を供給する供給樋１５が設置されている。この供給樋１５は、上部タンク１１から、遊技島台１の長手方向の一端に向けて下り坂を形成するように設置されている。
【００３１】
この供給樋１５には、各設置スペース１ａの上方部分に、供給樋１５を流れるパチンコ玉の流れを各設置スペース１ａに設置されたパチンコ台側に変更可能な分岐装置１６が設置されている。そして各分岐装置１６から各設置スペース１ａには、分岐装置１６から各設置スペース１ａに設置されたパチンコ機にパチンコ玉を導く分岐ホース１７が設置されている。
【００３２】
また、上部タンク１１は、図示しない穴部が底部に設けられ、貯留されたパチンコ玉をこの穴部から流出できるように形成されている。そしてこの穴部には、図示しない調整装置が取り付けられ、供給樋１５の長手方向の上部タンク１１側の端部は、この上部タンク１１の底部に設けられた穴部から排出されるパチンコ玉を、その穴部の下方で受け止める位置に配置されている。
【００３３】
このように構成された遊技島台１では、各設置スペース１ａに設置されたパチンコ台で使用されたパチンコ玉が回収装置１２で回収されると、回収樋１３によって下部タンク１０に流され、下部タンク１０に貯留される。
【００３４】
そして下部タンク１０に貯留されたパチンコ玉は、揚送装置３で上部タンク１１に揚送され、上部タンク１１に貯留される。
そしてさらに、この上部タンク１１に貯留されたパチンコ玉は、調整装置によって流出量を調整されながら供給樋１５上に排出され、この供給樋１５を下って、分岐装置１６、及び、分岐ホース１７を介して、再びパチンコ台に供給される。
【００３５】
尚、図１では、図面の簡略化のため、設置スペース１ａ、回収装置１２、分岐装置１６及び分岐ホース１７については、一部のみ符合を示しているが、図面中のこれらの構成と同様の図形の構成は、これらと同様の構成を示している。
【００３６】
２．揚送装置３
次に、揚送装置３について説明する。
図２に示すように、揚送装置３は、上下方向に長尺な形状に形成されている。
【００３７】
この揚送装置３は、下部タンク１０に貯留されたパチンコ玉を上部タンク１１に揚送する無端ベルトからなる揚送ベルト３０と、揚送されるパチンコ玉を磨く布ベルト３１（本発明の「研磨ベルト」に相当する）とを備えている。
【００３８】
揚送ベルト３０及び布ベルト３１は、パチンコ玉を揚送するとき、揚送ベルト３０のうち下方から上方に向かう側のベルトが布ベルト３１と対向し、布ベルト３１との間にパチンコ玉を挟んで揚送できるだけの空間が空くように、設置される。
【００３９】
この揚送装置３は、下端に、揚送ベルト３０が取り付けられる上下一対のプーリのうち一方のプーリを回動可能に収納する下端筐体３２を備え、上端に、揚送ベルト３０が取り付けられる上下一対のプーリのうち他方のプーリを回動可能に収納する上端筐体３３を備えている。また、この揚送装置３は、下端筐体３２から上端筐体３３に向かって延設され、上端筐体３３を下端筐体３２の上方に支持する支持筐体３４を備えている。
【００４０】
下端筐体３２には、下部タンク１０に貯留されたパチンコ玉を下端筐体３２に導く導入樋３５が接続されている。
上端筐体３３には、揚送されたパチンコ玉を上部タンク１１内に投入する投入口３６が形成されている。
【００４１】
支持筐体３４の下端には、揚送ベルト３０のうち上方から下方に向かう側において、揚送ベルト３０の張力を調整する調整装置３７が設置されている。
揚送装置３は、布ベルト３１の裏側（揚送ベルト３０と対向する側とは反対の方向側）であって、下端筐体３２から支持筐体３４の略１／６の長さ分だけ上方に設置され、布ベルト３１の長手方向への移動を阻止する停止装置３８を備えている。
【００４２】
揚送装置３は、布ベルト３１の裏側であって、上端筐体３３から支持筐体３４の略１／６の長さ分だけ下方に設置され、布ベルト３１を引っ張る引張装置３９を備えている。
揚送装置３の下端筐体３２が収納されている遊技島台１に設けられているスペース内であって、下端筐体３２の裏側には、未使用の布ベルト３１が巻かれたロール４０が配置されている。
【００４３】
揚送装置３の支持筐体３４が収納されている遊技島台１に設けられているスペース内であって、支持筐体３４の裏側上端筐体３３の略１／３の長さ分だけ下方の位置には、引張装置３９で引っ張られた布ベルト３１を巻き取る回収装置４１が配置されている。
【００４４】
布ベルト３１は、ロール４０から、停止装置３８を介して、下端筐体３２内で折り返されて、揚送ベルト３０と対向する揚送位置に導かれ、さらに、上端筐体３３内で下方裏側に折り返され、引張装置３９を介して、回収装置４１まで延設されている。
【００４５】
２．１．パチンコ玉の揚送について
上述の揚送装置３では、下部タンク１０に貯留されたパチンコ玉を上部タンク１１に揚送する場合、まず、導入樋３５を介して下部タンク１０から下端筐体３２内にパチンコ玉を流入させる。そして、図示しないモータで下端筐体３２内に収納された揚送ベルト３０のプーリを回転させ、布ベルト３１に対向する側の揚送ベルト３０が下方から上方に向かって移動するように、揚送ベルト３０を回転させる。
【００４６】
すると、下端筐体３２内に流入したパチンコ玉は、下端筐体３２内で、揚送ベルト３０が布ベルト３１と対向する揚送位置まで、転動しながら導かれる。
そして、パチンコ玉は、揚送位置まで導かれると、揚送ベルト３０と布ベルト３１との間に挟まれて転動しながら、上方に向かって上端筐体３３まで揚送される。このとき、パチンコ玉は、布ベルト３１に研磨されながら揚送される。そのため、遊技島台１内を循環するパチンコ玉は、常時、きれいな状態に保たれる。
【００４７】
上端筐体３３まで揚送されたパチンコ玉は、上端筐体３３内を転動し、この上端筐体３３に設けられた投入口３６に導かれて、上部タンク１１内に投入される。
２．２．布ベルト３１の巻き取り
上述の揚送装置３では、パチンコ玉を研磨して汚れた揚送位置に配置された布ベルト３１を巻き取る場合、まず、揚送ベルト３０を停止させる。
【００４８】
その後、停止装置３８による布ベルト３１の固定を解き、回収装置４１で布ベルト３１を巻き取りながら引張装置３９で布ベルト３１を引っ張る。
すると、揚送位置に配置された使用済みの布ベルト３１が、揚送位置からみて引張装置３９側に送り出されて回収装置４１に巻き取られる。
【００４９】
一方、この使用済みの布ベルト３１が引張装置３９に引張られることにより、その使用済みの布ベルト３１に、ロール４０に巻かれた未使用の布ベルト３１が引っ張られ、この未使用の布ベルト３１が揚送位置に送り入れられる。
【００５０】
そして、布ベルト３１の巻き取りが終了すると、停止装置３８によって布ベルト３１が固定され、布ベルト３１が固定されると揚送ベルト３０の動作が許可されて、揚送ベルト３０が動作可能となる。そのため、揚送ベルト３０が動作しているときは、布ベルト３１は、常時固定した状態に保持される。
【００５１】
尚、停止装置３８、引張装置３９、回収装置４１を総称して、以下、巻取装置４という。
３．遊技島台１の内部構造
次に、遊技島台１の内部構造について説明する。
【００５２】
遊技島台１は、図３に示すようなコントロールボックス２０を備えている。
このコントロールボックス２０は、遊技島台１を制御する処理を実行するコンピュータ装置を形成するメイン制御基板２１と、巻取装置４を制御する巻取装置基板２２と、揚送ベルト３０を駆動する揚送モータ３ａを制御する揚送モータ基板２３とを備えている。
【００５３】
さらに、このコントロールボックス２０は、導入樋３５に設けられたパチンコ玉の流通路を開閉する導入樋シャッター３５ａを制御する導入樋シャッター基板２４と、遊技島台１の各種装置を制御するための基板２５，２６を備えている。
【００５４】
このうち巻取装置基板２２には、巻取装置４で巻き取った布ベルト３１の巻き取り量を検出する巻取量センサ２２ａが引張装置３９に設置されているので、この巻取量センサ２２ａから入力された布ベルト３１の巻取量を示す信号を入力可能に形成されている。
【００５５】
以上のように構成されたコントロールボックス２０は、電源供給部２９から電源の供給を受けて動作する。
３．１．メイン制御基板２１
メイン制御基板２１は、ＣＰＵ２１ａ、ＲＯＭ２１ｂ、ＲＡＭ２１ｃ等を備えており、上部タンク１１に備えられ、上部タンク１１内に貯留されたパチンコ玉の貯留量を検出する玉量検出センサ１１ａからの検出信号を入力可能に構成されている。
【００５６】
また、メイン制御基板２１は、このコントロールボックス２０を操作するためのリモコン２０ａから、無線により、操作信号を受信可能に構成されている。
４．布ベルト関連処理
次に、メイン制御基板２１で実行される布ベルト関連処理について説明する。
【００５７】
ここで図４は、布ベルト関連処理のフローチャートである。
尚、布ベルト関連処理に限らず、以下に説明する各種処理の説明では、文中で特に示さない限り、ステップ番号の小さいものから順に実行するものとする。
【００５８】
この布ベルト関連処理は、リモコン２０ａ（図３参照）に対して、同処理を開始することを指示する操作が行われると開始される。
ステップ（以下単に「Ｓ」という）１では、後述する布ベルト自動巻取処理を実行するために必要な情報を設定する設定処理が実行される。
【００５９】
Ｓ５では、Ｓ１で設定された各種情報を利用して、布ベルト３１の自動巻取りを実行する布ベルト自動巻取処理を実行する。
そして、Ｓ５の処理が終了すると、本実施形態の布ベルト関連処理は終了する。
【００６０】
４．１．設定処理（Ｓ１）
次に、布ベルト関連処理（図４）の中で実行される設定処理（Ｓ１）について説明する。
【００６１】
ここで、図５は、設定処理のフローチャートである。
この設定処理（Ｓ１）が開始されると、まず、Ｓ１０の処理が実行される。
Ｓ１０では、リモコン２０ａ（図３参照）から受信した信号の中に、Ｓ１０以下の処理で使用する各種情報の入力を開始する旨の開始情報が含まれているか否かが判定される。
【００６２】
この判定（Ｓ１０）で、開始情報が含まれていないと判定された場合は（Ｓ１０：ＮＯ）、この設定処理（Ｓ１）は直ちに終了され、布ベルト自動巻取処理（Ｓ５）が実行される。
【００６３】
一方、この判定（Ｓ１０）で、開始情報が含まれていると判定された場合は（Ｓ１０：ＹＥＳ）、次にＳ１２の処理が実行される。
Ｓ１２では、メイン制御基板２１が備えているＲＡＭ２１ｃに記憶された布ベルト３１の自動巻取フラグＦＬとして「１」を設定する処理が実行される。
【００６４】
Ｓ１４では、リモコン２０ａが操作され、揚送装置３の全長Ａを示す情報が入力されると、その情報をＲＡＭ２１ｃに記憶する処理が実行される。本実施形態では、揚送装置３の全長Ａを示す情報として、Ａ＝２７４０ｍｍが入力される。
【００６５】
Ｓ１６では、リモコン２０ａが操作され、１営業日の巻取り動作で布ベルト３１を巻き取る巻取範囲Ｂを示す情報が入力されると、その入力された情報を受信して、ＲＡＭ２１ｃに記憶する処理が実行される。本実施形態では、巻取範囲Ｂを示す情報として、布ベルト３１を全長に渡って巻き取ることを示すＢ＝一面（１００％）が入力される。
【００６６】
Ｓ１８では、リモコン２０ａが操作され、布ベルト３１の巻き取りを開始するときに、上部タンク１１に貯留されていると好ましいパチンコ玉の貯留量Ｃを示す情報が入力されると、その入力された情報を、ＲＡＭ２１ｃに記憶する処理が実行される。この貯留量Ｃは、遊技島に設置される遊技台の数や種類等によって異なる。本実施形態では、上部タンク１１の貯留量Ｃとして、Ｃ＝１００００発が入力される。
【００６７】
Ｓ２０では、リモコン２０ａが操作され、遊技島台１に設置されているパチンコ機の台数を示す情報が入力されると、その入力された情報を、ＲＡＭ２１ｃに記憶する処理が実行される。本実施形態では、遊技島台１に設置されているパチンコ機の台数Ｄとして、Ｄ＝４０台が入力される。
【００６８】
Ｓ２２では、リモコン２０ａが操作され、遊技島台１に設置されているパチンコ店の営業開始時間Ｅと営業終了時間Ｆを示す情報が入力されると、その入力された情報を、ＲＡＭ２１ｃに記憶する処理が実行される。本実施形態では、営業開始時間Ｅが９時、営業終了時間が２３時なので、営業開始時間Ｅとして９：００、営業終了時間Ｆとして２３：００分が入力される。
【００６９】
このＳ２２の処理が終了すると、次に、上述したＳ１２〜Ｓ２２の処理で入力された各種設定値を用いて、布ベルト自動巻取処理（Ｓ５）で必要な情報を算出する算出処理（Ｓ３）が実行される。
【００７０】
そして、この算出処理（Ｓ３）が終了すると、この設定処理（Ｓ１）は終了され、布ベルト自動巻取処理（Ｓ５）が実行される。
４．２．算出処理（Ｓ３）
次に、設定処理（Ｓ１）の中で実行される算出処理（Ｓ３）について説明する。
【００７１】
ここで、図６は、算出処理のフローチャートである。
この算出処理（Ｓ３）が開始されると、まず、Ｓ３０の処理が実行される。
Ｓ３０では、Ｓ１４の処理で設定された揚送装置３の全長Ａと、Ｓ１６の処理で設定された巻取範囲Ｂから、パチンコ店の一営業日で巻き取る布ベルト３１の予定巻取量Ｇを算出する処理が実行される。本実施形態では、Ａ＝２７４０ｍｍ、Ｂ＝一面（１００％）が設定されるから、布ベルト３１の予定巻取量Ｇは、Ａ×Ｂ＝２７４０ｍｍと算出される。
【００７２】
Ｓ３２では、Ｓ１８の処理で設定されたパチンコ玉の貯留量Ｃと、Ｓ２０の処理で設定されたパチンコ機の台数Ｄ、及び、予めＲＡＭ２１ｃに記憶され、各パチンコ機へのパチンコ玉の供給のため上部タンク１１から流出される単位時間当たりのパチンコ玉の量Ｑから、揚送装置３を停止可能な停止可能時間Ｈを算出する処理が実行される。本実施形態では、Ｃ＝１００００発、Ｄ＝４０台、Ｑ＝１００（発／ｍｉｎ）なので、Ｈ＝Ｃ／Ｄ×Ｑ＝１００００／４０×１００＝２．５ｍｉｎと算出される。
【００７３】
尚、この停止可能時間Ｈは、本発明の緩衝期間に相当する。また、このことから、本実施形態では、貯留量Ｃが、緩衝期間を確保可能な貯留量であるので、本発明の充足量に相当する。
【００７４】
Ｓ３４では、Ｓ３２で算出された停止可能時間Ｈと、予めＲＡＭ２１ｃに記憶され、布ベルト３１の巻き取りを開始するとき及び、巻取りを終了してから揚送ベルト３０を動作するまでに必要な準備時間Ｘ、巻取装置４が布ベルト３１を単位時間当たりに巻き取る巻取り量Ｐから、巻取装置４が停止可能時間Ｈ内に布ベルト３１を巻き取る制御を行って、布ベルト３１を巻き取ることができる巻取可能量Ｉを、算出する処理が実行される。本実施形態では、Ｈ＝２．５ｍｉｎ、Ｘ＝２．０ｍｉｎ、Ｐ＝１８８４ｍｍ／ｍｉｎであるので、Ｉ＝（Ｈ−Ｘ）×Ｐ＝（２．５−２．０）×１８８４＝９４２ｍｍと算出される。
【００７５】
Ｓ３６では、Ｓ３０で算出された予定巻取量Ｇと、Ｓ３４で算出された巻取可能量Ｉとから、巻取装置４が、Ｓ３２で設定された予定巻取量Ｇを巻き取り終えるまでに布ベルト３１を巻き取る巻取動作を行う巻取動作回数Ｊを算出する処理が実行される。本実施形態では、Ｇ＝２７４０ｍｍ、Ｉ＝９４２ｍｍで、巻取動作回数Ｊは、Ｇ／Ｉ＝２７４０／９４２≒２．９１回なので３回と算出される。
【００７６】
Ｓ３８では、Ｓ２２の処理で設定された営業開始時間Ｅ及び営業終了時間Ｆから、営業時間Ｋを算出する処理が実行される。本実施形態では、Ｅ＝９：００、Ｆ２３：００が設定されるから、営業時間Ｋは、Ｋ＝Ｆ−Ｅ＝１４時間と算出される。
【００７７】
Ｓ４０では、Ｓ３６で設定された巻取動作回数Ｊと、Ｓ３８で設定された営業時間Ｋとから、布ベルト３１の巻取り動作を行う時間間隔を示す巻取タイミングＬを算出する処理が実行される。本実施形態では、Ｊ＝３回、Ｋ＝１４時間なので、Ｌ＝Ｋ／Ｊ＝１４／３＝約４．７時間毎と算出される。
【００７８】
Ｓ４２では、Ｓ３０で算出された予定巻取量Ｇと、Ｓ３６で設定された巻取動作回数Ｊとから、各巻取り動作において、布ベルト３１を巻き取る巻取量Ｍを算出する処理が実行される。本実施形態では、Ｇ＝２７４０ｍｍ、Ｊ＝３回が設定されるから、巻取量Ｍ＝Ｇ／Ｊ＝２７４０ｍｍ／３＝約９１４ｍｍと算出される。
【００７９】
そして、このＳ４２の処理が終了したら、設定処理Ｓ１に戻る。
尚、このＳ３０から、Ｓ４２で行われた処理結果は、各処理が終了するたびにＲＡＭ２１ｃに記憶される。
【００８０】
４．３．布ベルト自動巻取処理（Ｓ５）
次に、布ベルト関連処理（図４）の中で実行される布ベルト自動巻取処理（Ｓ５）について説明する。
【００８１】
ここで、図７は、布ベルト自動巻取処理のフローチャートである。
この布ベルト自動巻取処理（Ｓ５）が開始されると、まず、Ｓ５０の処理が実行される。
【００８２】
Ｓ５０では、ＲＡＭ２１ｃに記憶されている布ベルト自動巻取りフラグＦＬが「１」であるか否かが判定される。
この判定（Ｓ５０）で、ＦＬが「０」の場合は（Ｓ５０：ＮＯ）、この布ベルト自動巻取処理（Ｓ５）が直ちに終了され、設定処理（Ｓ１）に戻って終了する処理が実行される。
【００８３】
一方、この判定（Ｓ５０）で、ＦＬが「１」の場合は（Ｓ５０：ＹＥＳ）、次にＳ５２が実行される。
Ｓ５２では、布ベルト３１の自動巻取りを開始する開始条件を満たしているか否かが判定される。具体的には、１回目の巻取タイミングでは営業開始時間（本実施形態では９時）から計時して１回目の巻取タイミングになったか、２回目以降は、前回の巻取タイミングから計時して２回目の以降の巻取タイミングになったか否かが判定される。
【００８４】
この判定（Ｓ５２）で、開始条件を満たしていないと判定されると（Ｓ５２：ＮＯ）、繰り返し、このＳ５２の判定を繰り返して待機する処理が実行される。
一方、この判定（Ｓ５２）で、開始条件を満たしていると判定されると（Ｓ５２：ＹＥＳ）、次にＳ７の動作制御処理が実行され、この動作制御処理（Ｓ７）での結果に応じて、Ｓ５０あるいはＳ５２の処理を実行する。
【００８５】
４．４．動作制御処理（Ｓ７）
次に、布ベルト自動巻取処理（Ｓ５）の中で実行される動作制御処理（Ｓ７）について説明する。
【００８６】
ここで、図８は、動作制御処理（Ｓ７）のフローチャートである。
この動作制御処理（Ｓ７）が開始されると、まず、Ｓ７０の処理が実行される。
Ｓ７０では、上部タンク１１内に貯留されているパチンコ玉の貯留量が、所定量（本実施形態では１００００発）よりも多いか否かが判定される。
【００８７】
この判定（Ｓ７０）で、貯留量が所定量よりも少ないと判定された場合には、貯留量が所定量よりも多いと判定されるまでＳ７０の処理を繰り返し実行して待機する処理が実行される。
【００８８】
一方、この判定（Ｓ７０）で、貯留量が所定量以上であると判定された場合には、Ｓ７２の処理が実行される。
Ｓ７２では、布ベルト３１の巻き取りを開始する布ベルト自動巻取開始処理が実行される。
【００８９】
具体的には、まず、導入樋シャッター３５ａを閉じ、導入樋シャッター３５ａを閉じたときに導入樋シャッター３５ａ付近に位置するパチンコ玉を、揚送ベルト３０によって上部タンク１１まで揚送するのに要する時間が経過するまで揚送モータ３ａを動作させ、その後揚送モータ３ａを停止する。そして、この揚送モータ３ａの停止後、停止装置３８による布ベルト３１の固定を解除し、引張装置３９及び回収装置４１を動作させることによって、布ベルト３１を巻き取る動作を実行する。
【００９０】
Ｓ７４では、巻取量センサ２２ａにより、巻取装置４が実際に巻き取った布ベルト３１の巻き取り量がＳ４２で算出した巻取量Ｍ（９１４ｍｍ）以上となったか否かが判定される。
【００９１】
この判定（Ｓ７４）で、布ベルト３１の巻取量が、Ｓ４２で算出した巻取量Ｍ未満のときは（Ｓ７４：ＮＯ）、Ｓ７４の判定が繰り返し実行される。
一方、この判定（Ｓ７４）で、布ベルト３１の巻取量が、Ｓ４２で算出した巻取量Ｍ以上となったときは（Ｓ７４：ＹＥＳ）、Ｓ７６の処理が実行される。
【００９２】
Ｓ７６では、布ベルト３１の巻き取りを停止する布ベルト自動巻取停止処理が実行される。
具体的には、停止装置３８により布ベルト３１の固定を解除した後、引張装置３９及び回収装置４１を所定時間動作させた後、停止させる。このようにしているのは、揚送ベルト３０と対向位置にある布ベルト３１が張られた状態となるようにするためである。その後、導入樋シャッター３５ａを開けられ、揚送モータ３ａを動作させて揚送ベルト３０によりパチンコ玉の揚送が再開される。
【００９３】
Ｓ７８では、ＲＡＭ２１ｃに記憶された、布ベルト３１の巻き取りを行った回数を示す巻取動作回数カウント値をプラス１する処理が実行される。
Ｓ８０では、Ｓ７２〜Ｓ７６により布ベルト３１が巻き取られた巻取動作回数が、Ｓ３６で算出された巻取動作回数Ｊに達したか否かについて、ＲＡＭ２１ｃに記憶された巻取動作回数カウント値に基づいて判定される。
【００９４】
この判定（Ｓ８０）で、巻取動作回数がＳ３６で算出された巻取動作回数Ｊに達していなかった場合は（Ｓ８０：ＮＯ）、符号（２）がついた矢印で示したように、次に、布ベルト自動巻取り処理（Ｓ５）に戻ってＳ５２の処理が実行される。そして、開始条件を満たすと判定されると（Ｓ５２：ＹＥＳ）、再び動作制御処理（Ｓ７）が開始されて、上部タンク１１内に１００００発以上のパチンコ玉が貯留されていると判定されると（Ｓ７０：ＹＥＳ）、再び布ベルト３１を巻き取る処理（Ｓ７２〜Ｓ７６）が実行される。
【００９５】
一方、この判定（Ｓ８０）で、巻取動作回数がＳ３６で算出された巻取動作回数Ｊに達していた場合は（Ｓ８０：ＹＥＳ）、Ｓ８２の処理が実行される。
Ｓ８２では、ＲＡＭ２１ｃに記憶された自動巻取フラグＦＬを０にする処理が実行される。
【００９６】
そして、このＳ８２が実効されると、符号（１）がついた矢印で示したように、次に、布ベルト自動巻取り処理（Ｓ５）に戻ってＳ５０の処理が実行される。
すると、このＳ５０では、自動巻取フラグＦＬが０であるので直ちに布ベルト自動巻取り処理が終了され、設定処理（Ｓ１）に戻って、設定処理（Ｓ１）が終了される。
【００９７】
５．実施形態の遊技島台の特徴
本実施形態の遊技島台１では、揚送ベルト３０を一時的に停止してもパチンコ機でパチンコ玉の不足が生じない量Ｃのパチンコ玉が上部タンク１１に貯留されているときに（Ｓ７０：ＹＥＳ）揚送ベルト３０を一時的に停止し、その間に巻取装置４で巻取可能な巻取量Ｍだけ布ベルト３１を巻き取っている（Ｓ７２〜Ｓ７６）。
【００９８】
従って、本実施形態の遊技島台１では、パチンコ玉が不足してパチンコ機での遊技が出来なくなることを防止しつつ、布ベルト３１を巻き取ることができる。
また、本実施形態の遊技島台１では、揚送ベルト３０に対向する揚送位置にある布ベルト３１の全量が巻き取られたか否かを、巻取動作を行った巻取回数で管理している（Ｓ７８）。そのため、本実施形態では、揚送位置に配置された布ベルト３１を全量巻き取ることができたか否かを、巻き取った布ベルト３１の巻き取り量を厳密に管理しなくても、巻取回数を管理するだけで簡単に管理できる。
【００９９】
また、本実施形態では、一営業日を何分割かして、一定間隔毎に布ベルト３１が少しずつ巻き取られるので、不定期に布ベルト３１を巻き取る場合に比べて、布ベルト３１への汚れの付着量が営業時間を通してほぼ一定値に保たれ、結果として、時間当たりのパチンコ玉の汚れも平均化することができる。
【０１００】
６．実施形態と発明特定事項との対応関係
本実施形態の揚送装置３が、本発明の揚送手段に相当する。
本実施形態の巻取装置４が、本発明のベルト移動手段に相当する。
【０１０１】
本実施形態の上部タンク１１が、本発明の貯留手段に相当する。
本実施形態のＳ３２の処理が、本発明の緩衝期間算出手段に相当する。
本実施形態のＳ７０〜Ｓ７６の処理が、本発明の研磨ベルト移動制御手段に相当する。
【０１０２】
本実施形態のＳ３４の処理が、本発明の研磨ベルト移動量算出手段に相当する。
本実施形態のＳ３６の処理が、本発明の研磨ベルト移動動作回数算出手段に相当する。
本実施形態のＳ８０と、Ｓ７０〜Ｓ７６の処理が、本発明の研磨ベルト移動実行手段に相当する。
【０１０３】
本実施形態のＳ８０の処理が、本発明の研磨ベルト移動動作回数管理手段に相当する。
本実施形態のＳ４０の処理が、本発明の研磨ベルト移動タイミング決定手段に相当する。
【０１０４】
（その他の実施形態）
上記実施形態では、停止可能時間Ｈとして、１００００発の遊技球が上部タンク１１から流出する場合の時間が適用された例について説明したが、例えば、１００００発のうち予め定められた割合の量、例えば、９割であれば、１００００発貯留されたとき、そのうちの９０００発が流出するまでの時間としてもよい。
【０１０５】
また、上記実施形態では、一営業日で１面を取り替える例について説明したが、例えば、３営業日で１面を取り替えるようにしてもよいことはもちろんである。
また、上記実施形態では、緩衝期間に相当する停止可能時間Ｈを算出しているが、上部タンク１１の貯留量などから予め停止可能時間Ｈを定めておき、上部タンク１１に、停止可能時間Ｈを予め定めるために必要な量のパチンコ球が貯留されたことを検出したら、停止可能時間Ｈだけ布ベルト３１の巻き取りを実行するようにしてもよい。
【０１０６】
本発明は、特許請求の範囲に記載された発明の趣旨に合致するものであればよく、上述の実施形態に限定されるものではない。
【符号の説明】
【０１０７】
１…遊技島台、１ａ…設置スペース、３…揚送装置、３ａ…揚送モータ、４…巻取装置、１０…下部タンク、１１…上部タンク、１１ａ…玉量検出センサ、１２…回収装置、１３…回収樋、１５…供給樋、１６…分岐装置、１７…分岐ホース、２０…コントロールボックス、２０ａ…リモコン、２１…メイン制御基板、２２…巻取装置基板、２３…揚送モータ基板、２４…導入樋シャッター基板、２９…電源供給部、３０…揚送ベルト、３１…布ベルト、３２…下端筐体、３３…上端筐体、３４…支持筐体、３５…導入樋、３５ａ…導入樋シャッター、３６…投入口、３７…調整装置、３８…停止装置、３９…引張装置、４０…ロール、４１…回収装置
【図１】
0005691342.tif 000002
【図２】
0005691342.tif 000003
【図３】
0005691342.tif 000004
【図４】
0005691342.tif 000005
【図５】
0005691342.tif 000006
【図６】
0005691342.tif 000007
【図７】
0005691342.tif 000008
【図８】
0005691342.tif 000009